(57)【要約】【課題】ＢＤなどに記録できる特定の映像ストリームを認証して再生する場合、認証を簡単な操作でできるようにした認証再生システム，プログラム，記録媒体を提供する。【解決手段】ＢＤプレイヤ装置１０でＢＤ１５に記録されているＢＤ−Ｊコンテンツである、再生に認証を必要とする映像ストリームを再生する場合、サーバ装置３０にパスコード，コンテンツＩＤを送ることにより認証を行う。サーバ装置３０は携帯電話機５０から送られるユーザＩＤ，パスワードを受けて登録者からの認証依頼であることを確認する。ＢＤプレイヤ装置１０は認証済の情報をサーバ装置３０から受信すれば、認証を必要とする特定の映像ストリームの再生を開始する。【選択図】図１Ａ
2010211848.tif 000002
【特許請求の範囲】
【請求項１】
ＢＤ内に記憶できる特定の映像について認証を得ることにより再生するＢＤプレイヤ装置と、再生認証のための処理を行うサーバ装置と、２次元バーコードを読み込むカメラを有し前記サーバ装置と通信可能な装置Ａとからなる認証再生システムであって、
前記ＢＤプレイヤ装置は、
パスコードを生成する生成手段と、
前記パスコードおよびＢＤのコンテンツＩＤ情報を送信する手段と、
前記サーバ装置から取得した連動用セッションＩＤを前記装置Ａに取得させるため２次元バーコードを生成する２次元バーコード生成手段と、
ＢＤプレイヤ装置の再生ボタンを押すことにより前記サーバ装置に連動用セッションＩＤ，パスコードおよびＢＤのコンテンツＩＤ情報を返送する手段と、
前記サーバ装置から認証済の情報を受けたときＢＤ内に記憶できる特定の映像を再生する再生制御手段とを有し、
前記サーバ装置は、
前記ＢＤプレイヤ装置からパスコードおよびＢＤのコンテンツＩＤ情報を受信したとき連動用セッションＩＤを生成する連動用セッションＩＤ生成手段と、
ユーザの登録操作によってユーザＩＤ・パスワードを記憶するユーザＩＤ・パスワード記憶手段と、
前記連動用セッションＩＤとパスコードを記憶する連動用セッションＩＤ・パスコード対応表を有するセッション情報記憶手段と、
前記生成した連動用セッションＩＤをＢＤプレイヤ装置に送信する手段と、
前記装置Ａより連動用セッションＩＤ，パスコードを受けるとともに装置Ａを特定するユーザ情報を受けたとき、これら情報を記憶する連動用セッションＩＤ・ユーザ情報対応表を有する認証情報記憶手段と、
記憶した連動用セッションＩＤ，パスコードおよびＢＤのコンテンツＩＤ情報をＢＤプレイヤ装置に送信し、戻ってくるこれら情報を前記連動用セッションＩＤユーザ情報対応表でチェックする認証制御手段と、
前記認証制御手段でチェックし、一致すれば認証済の情報を前記ＢＤプレイヤ装置に返送する手段とを有し、
前記装置Ａは、
前記カメラにより前記ＢＤプレイヤ装置で表示される連動用セッションＩＤ，パスコードを含む２次元バーコードを読み込む手段と、
前記２次元バーコードを解読し、連動用セッションＩＤ，パスコードおよび装置Ａを特定するユーザ情報を送信する手段と、
サーバ装置から認証情報を受信する手段とを有し、
ユーザの操作によりＢＤプレイヤ装置はサーバ装置にパスコード，コンテンツＩＤを送信し、これを受信したサーバ装置から送られる連動用セッションＩＤ，パスコードを前記ＢＤプレイヤ装置が受信してＢＤプレイヤ装置のディスプレイに該連動用セッションＩＤ，パスコードを含むＵＲＬを２次元バーコードで表示し、ユーザが装置Ａのカメラで該２次元バーコードを読み込み操作した場合、装置Ａが認識した連動用セッションＩＤ，パスコードおよび装置Ａを特定するユーザ情報をサーバ装置に送ると、前記サーバ装置が前記ユーザＩＤ・パスワード記憶手段で装置Ａを特定するユーザ情報を確認し、連動用セッションＩＤ・パスコード対応表で連動用セッションとパスコードをチェックし、連動用セッションＩＤ・ユーザ情報対応表で連動用セッションとユーザ情報をチェックすることにより、
再生すべき特定の映像再生の認証を前記装置Ａを介して前記サーバ装置で行い、認証を必要とする特定の映像を再生することを特徴とする認証再生システム。
【請求項２】
ＢＤ内に記憶できる特定の映像について認証を得ることにより再生するＢＤプレイヤ装置と、再生認証のための処理を行うサーバ装置と、前記サーバ装置とメールのやり取りが可能で前記サーバ装置と通信可能な装置Ａとからなる認証再生システムであって、
前記ＢＤプレイヤ装置は、
パスコードを生成する生成手段と、
パスコードおよびＢＤのコンテンツＩＤ情報を送信する手段と、
前記サーバ装置から取得した連動用セッションＩＤを前記装置Ａに取得させるためＢＤプレイヤ装置の表示部に連動用セッションＩＤ，パスコードを含むメール文面を表示する表示手段と、
ＢＤプレイヤ装置の再生ボタンを押すことにより前記サーバ装置に連動用セッションＩＤ，パスコードおよびＢＤのコンテンツＩＤ情報を返送する手段と、
前記サーバ装置から認証済の情報を受けたときＢＤ内に記憶できる特定の映像を再生する再生制御手段とを有し、
前記サーバ装置は、
前記ＢＤプレイヤ装置からパスコードおよびＢＤのコンテンツＩＤ情報を受信したとき連動用セッションＩＤを生成する連動用セッションＩＤ生成手段と、
ユーザの登録操作によりユーザＩＤ・パスワードを記憶するユーザＩＤ・パスワード記憶手段と、
前記連動用セッションＩＤとパスコードを記憶する連動用セッションＩＤ・パスコード対応表を有するセッション情報記憶手段と、
前記生成した連動用セッションＩＤを前記ＢＤプレイヤ装置に送信する手段と、
前記装置Ａより連動用セッションＩＤ，パスコードを受けるとともに装置Ａを特定するユーザ情報を受けたとき、これら情報を記憶する連動用セッションＩＤ・ユーザ情報対応表を有する認証情報記憶手段と、
記憶した連動用セッションＩＤ，パスコードおよびＢＤのコンテンツＩＤ情報をＢＤプレイヤ装置に送信し、戻ってくるこれら情報を前記連動用セッションＩＤ・ユーザ情報対応表でチェックする認証制御手段と、
前記認証制御手段でチェックし、一致すれば認証済の情報を前記ＢＤプレイヤ装置に返送する手段とを有し、
前記装置Ａは、
前記ＢＤプレイヤ装置のディスプレイに表示された連動用セッションＩＤ，パスコードおよび装置Ａのユーザ情報を含むメールを前記サーバ装置に送信する手段と、
サーバ装置から認証情報を受信する手段とを有し、
ユーザの操作によりＢＤプレイヤ装置はサーバ装置にパスコード，コンテンツＩＤを送信し、これを受信したサーバ装置は連動用セッションＩＤ，パスコードを含む文面をＢＤプレイヤ装置に送り、ＢＤプレイヤ装置はディスプレイに表示し、ユーザが装置Ａに該連動用セッションＩＤ，パスコードを入力してメールで装置Ａを特定するユーザ情報とともにサーバ装置に送ると、前記サーバ装置が前記ユーザＩＤ・パスワード記憶手段で装置Ａを特定するユーザ情報を確認し、連動用セッションＩＤ・パスコード対応表で連動用セッションとパスコードをチェックし、連動用セッションＩＤ・ユーザ情報対応表で連動用セッションとユーザ情報をチェックすることにより、
再生すべき特定の映像再生の認証を前記装置Ａを介して前記サーバ装置で行い、認証を必要とする特定の映像を再生することを特徴とする認証再生システム。
【請求項３】
装置ＡのメールアドレスをＢＤプレイヤ装置に登録してあり、ＢＤ内に記憶できる特定の映像について認証を得ることにより再生するＢＤプレイヤ装置と、再生認証のための処理を行うサーバ装置と、前記サーバ装置とメールのやり取りが可能で前記サーバ装置と通信可能な装置Ａとからなる認証再生システムであって、
前記ＢＤプレイヤ装置は、
パスコードを生成する生成手段と、
パスコードおよびＢＤのコンテンツＩＤ情報を送信する手段と、
ＢＤプレイヤ装置の再生ボタンを押すことにより前記サーバ装置に連動用セッションＩＤ，パスコードおよびＢＤのコンテンツＩＤ情報を返送する手段と、
前記サーバ装置から認証済の情報を受けたときＢＤ内に記憶できる特定の映像を再生する再生制御手段とを有し、
前記サーバ装置は、
前記ＢＤプレイヤ装置からパスコードおよびＢＤのコンテンツＩＤ情報を受信したとき連動用セッションＩＤを生成する連動用セッションＩＤ生成手段と、
ユーザの登録操作によりユーザＩＤ・パスワードを記憶するユーザＩＤ・パスワード記憶手段と、
前記連動用セッションＩＤとパスコードを記憶する連動用セッションＩＤ・パスコード対応表を有するセッション情報記憶手段と、
前記生成した連動用セッションＩＤ，パスコードを含むＵＲＬを前記ＢＤプレイヤ装置の登録アドレスにメールする手段と、
前記装置Ａより連動用セッションＩＤ，パスコードを受けるとともに装置Ａを特定するユーザ情報を受けたとき、これら情報を記憶する連動用セッションＩＤ・ユーザ情報対応表を有する認証情報記憶手段と、
記憶した連動用セッションＩＤ，パスコードおよびＢＤのコンテンツＩＤ情報をＢＤプレイヤ装置に送信し、戻ってくるこれら情報を前記連動用セッション・ＩＤユーザ情報対応表でチェックする認証制御手段と、
前記認証制御手段でチェックし、一致すれば認証済の情報を前記ＢＤプレイヤ装置に返送する手段とを有し、
前記装置Ａは、
前記サーバ装置から送られてきたＵＲＬの内容を表示する手段と、
前記ＵＲＬに含まれる連動用セッションＩＤ，パスコードおよび装置Ａのユーザ情報を前記サーバ装置に送信する手段とを有し、
ユーザの操作によりＢＤプレイヤ装置はサーバ装置にパスコード，コンテンツＩＤを送信し、これを受信したサーバ装置は連動用セッションＩＤ，パスコードを含むＵＲＬをＢＤプレイヤ装置の登録アドレス宛にメールして連動用セッションＩＤをＢＤプレイヤ装置に返し、かつ装置Ａで受信した連動用セッションＩＤ，パスコードを含むＵＲＬをユーザが開く操作を行うことにより装置Ａのディスプレイに表示し、ユーザが装置Ａから連動用セッションＩＤ，パスコードと装置Ａを特定するユーザ情報をサーバ装置に送ると、前記サーバ装置が前記ユーザＩＤ・パスワード記憶手段で装置Ａを特定するユーザ情報を確認し、連動用セッションＩＤ・パスコード対応表で連動用セッションとパスコードをチェックし、連動用セッションＩＤ・ユーザ情報対応表で連動用セッションとユーザ情報をチェックすることにより、
再生すべき特定の映像再生の認証を前記装置Ａを介して前記サーバ装置で行い、認証を必要とする特定の映像を再生することを特徴とする認証再生システム。
【請求項４】
ＢＤ内に記憶できる特定の映像について認証を得ることにより再生するＢＤプレイヤ装置と、再生認証のための処理を行うサーバ装置と、２次元バーコードを読み込むカメラを有し前記サーバ装置と通信可能な装置Ａとからなる認証再生システムであって、
前記ＢＤプレイヤ装置は、
パスコードを生成する手段と、
前記パスコードおよびＢＤのコンテンツＩＤ情報を含むＵＲＬをＢＤプレイヤ装置のディスプレイに２次元バーコードとして表示する手段と、
前記サーバ装置から視聴コードを前記装置Ａが受けて表示し、ユーザが視聴コードを入力して再生ボタンを押したとき、該視聴コードを検証する視聴コード検証手段と、
視聴コードが正しければＢＤ内に記憶できる特定の映像を再生する再生制御手段とを有し、
前記サーバ装置は、
ユーザの登録操作によりユーザＩＤ・パスワードを記憶するユーザＩＤ・パスワード記憶手段と、
前記装置ＡからパスコードおよびＢＤのコンテンツＩＤ情報を含むＵＲＬを受信するとともに装置Ａを特定するユーザ情報を受けたとき認証する認証制御手段と、
認証成功であれば、視聴コードを生成する視聴コード生成手段と、
前記視聴コードを前記装置Ａに返送する手段と、
前記装置Ａは、
前記ＢＤプレイヤ装置のディスプレイに表示されたパスコードおよびＢＤのコンテンツＩＤ情報を含むＵＲＬの２次元バーコードをユーザが撮影し、ユーザの操作により前記サーバ装置にパスコードおよびＢＤのコンテンツＩＤ情報を含むＵＲＬおよび装置Ａを特定するユーザ情報を送信する送信手段と、
前記サーバ装置から送られる視聴コードを受信表示する手段とを有し、
ユーザの操作によりＢＤプレイヤ装置はパスコードを生成し、パスコード，コンテンツＩＤ情報を含むＵＲＬをＢＤプレイヤ装置のディスプレイに２次元バーコードとして表示し、ユーザが装置Ａのカメラで該２次元バーコードを読み込み操作した場合、装置Ａはパスコード，コンテンツＩＤ情報および装置Ａを特定するユーザ情報をサーバ装置に送り、サーバ装置が前記ユーザＩＤ・パスワード記憶手段で装置Ａを特定するユーザ情報を確認しサーバ装置から視聴コードを装置Ａが受信することにより、
再生すべき特定の映像再生の認証を前記装置Ａを介して前記サーバ装置で行い、認証を必要とする特定の映像を再生することを特徴とする認証再生システム。
【請求項５】
ＢＤ内に記憶できる特定の映像について認証を得ることにより再生するＢＤプレイヤ装置と、再生認証のための処理を行うサーバ装置と、前記サーバ装置とメールのやり取りが可能で前記サーバ装置と通信可能な装置Ａとからなる認証再生システムであって、
前記ＢＤプレイヤ装置は、
パスコードを生成する手段と、
前記パスコードおよびＢＤのコンテンツＩＤ情報を含むＵＲＬをＢＤプレイヤ装置のディスプレイに表示する手段と、
前記サーバ装置からメールで視聴コードを前記装置Ａが受けて表示し、ユーザが視聴コードを入力して再生ボタンを押したとき、該視聴コードを検証する視聴コード検証手段と、  
視聴コードが正しければＢＤ内に記憶できる特定の映像を再生する再生制御手段とを有し、
前記サーバ装置は、
ユーザの登録操作によってユーザＩＤ・パスワードを記憶するユーザＩＤ・パスワード記憶手段と、
前記装置ＡからパスコードおよびＢＤのコンテンツＩＤ情報を含むメールを受信するとともに装置Ａを特定するユーザ情報を受けたとき認証する認証制御手段と、
認証成功であれば、視聴コードを生成する視聴コード生成手段と、
前記視聴コードをメールで前記装置Ａに返送する手段とを有し、
前記装置Ａは、
前記ＢＤプレイヤ装置のディスプレイに表示されたパスコードおよびＢＤのコンテンツＩＤ情報を含むメールを送信するとともに装置Ａを特定するユーザ情報をサーバ装置に送信する送信手段と、
前記サーバ装置からメールで送られる視聴コードを受信表示する手段とを有し、
ユーザの操作によりＢＤプレイヤ装置はパスコードを生成し、パスコード，コンテンツＩＤ情報を含むメール文面をＢＤプレイヤ装置のディスプレイに表示し、ユーザが装置Ａでディスプレイの表示に従いパスコード，コンテンツＩＤ情報および装置Ａを特定するユーザ情報をメールでサーバ装置に送ると、サーバ装置が前記ユーザＩＤパスワード記憶手段で装置Ａを特定するユーザ情報を確認しサーバ装置から視聴コードを装置Ａが受信することにより、
再生すべき特定の映像再生の認証を前記装置Ａを介して前記サーバ装置で行い、認証を必要とする特定の映像を再生することを特徴とする認証再生システム。
【請求項６】
前記装置Ａは携帯電話機であることを特徴とする請求項１，２，３，４または５記載の認証再生システム。
【請求項７】
ＢＤ内に記憶できる映像の認証再生において、
コンピュータに、
映像の再生を行う再生制御機能と、
パスコードを生成するパスコード生成機能と、
２次元バーコードを生成する２次元バーコード生成機能と、
視聴コードを検証する視聴コード検証機能と、
通信を制御する通信制御機能と、
を実現させることを特徴とする認証再生プログラム。
【請求項８】
コンピュータに、
映像の再生を行う再生制御機能と、
パスコードを生成するパスコード生成機能と、
２次元バーコードを生成する２次元バーコード生成機能と、
視聴コードを検証する視聴コード検証機能と、
通信を制御する通信制御機能と
を実行させるための認証再生プログラムを記録したコンピュータ読み取り可能な記録媒体。
【請求項９】
ＢＤまたはＨＤＤであることを特徴とする請求項８記載の記録媒体。
【発明の詳細な説明】
【技術分野】
【０００１】
本発明は、次世代光ディスクであるＢＤ（ブルーレイディスク）などにおいて、認証が必要な映像を再生する場合の認証再生システムと、このシステムに用いるプログラムおよびプログラムを格納する記録媒体に関する。
【背景技術】
【０００２】
次世代光ディスクであるＢｌｕ−ｒａｙにおいて、認証が必要なコンテンツ（有料コンテンツ・会員登録しないと視聴できないコンテンツなど）を実現するシステムが構成されている。コンテンツそのものはディスクにあり、再生するかどうかはプログラムで制御することとなる。
認証には次世代光ディスクプレイヤ装置に認証に関する情報（ＩＤ、パスワードなど）を入力する必要がある。かかる場合、プレイヤ装置には文字などの情報を入力するための入力装置が設置されていないのが通常である。プレイヤ装置のリモコンを用いて文字入力することとなるが、リモコンは簡単に文字入力ができるようにキー操作が構成されておらず、情報入力しにくいという問題がある。
【０００３】
ＢＤ−ＲＯＭの映像を再生するための制御に関する応用技術が提案されている。
特許文献１は仮想マシンを対象としたアプリケーションの実行を制御するアプリケーション制御の技術を開示しており、記録媒体に対する制御を実現するようなアプリケーションが異常終了した場合、または起動に失敗した場合のＦａｉｌ  Ｓａｆｅを実現できることを目的としている。
特許文献２は著作権保護されたコンテンツのデータを汎用的なＨＤＤに記録した場合にコンテンツの不正なコピーを防止することを趣旨としており、そのためにＨＤＤにコンテンツを記録したとき、およびＨＤＤに記録されたコンテンツをＢＤにムーブしたときに、乱数出力部がその都度ユニークな照合情報を出力してＨＤＤおよびＥＥＰＲＯＭの各照合ファイルに上書き記録し、そしてＨＤＤに記録されたコンテンツをＢＤにムーブするときに照合部でＨＤＤの照合ファイルに記録された照合情報とＥＥＰＲＯＭの照合ファイルに記録された照合情報を照合してこれらが一致した場合にのみコンテンツのムーブを許可するものである。
【先行技術文献】
【特許文献】
【０００４】
【特許文献１】ＷＯ２００５／０４５８４０号公報
【特許文献２】特開２００５−２７６２８２号公報
【発明の概要】
【発明が解決しようとする課題】
【０００５】
上記特許文献１，２はＢＤなどのディスクに記録されているコンテンツを再生する場合に、特定のコンテンツを再生するときに認証をして再生するという技術については言及していない。
本発明の目的は、ＢＤなどのディスク内の認証を必要とする特定の映像ストリームを再生する場合、携帯電話機などを利用して簡単な操作でできるようにした認証再生システムを提供することにある。
本発明の他の目的は該認証再生システムに用いられるプログラムを提供することにある。
本発明のさらなる他の目的は該認証再生システムに用いられるプログラムを記録した記録媒体を提供することにある。
【課題を解決するための手段】
【０００６】
前記目的を達成するために本発明はユーザが使い慣れている携帯電話機などを活用する。携帯電話機が２次元バーコード読み取り機能を持っている場合は、２次元バーコードによってプレイヤ装置と携帯電話機間の関連付けをする。携帯電話機が２次元バーコード読み取り機能を持っていない場合は、携帯電話機のメール機能によってプレイヤ装置と携帯電話機の関連付けをする。そしてプレイヤ装置がネットワーク接続されている場合は、プレイヤ装置が直接サーバ装置と通信を行い認証を実現する。プレイヤ装置がネットワーク接続されていない場合は、コンテンツごとに異なる方式で生成される暗証番号を介して認証したかどうかを判定する。
すなわち本発明の請求項１（ＢＡＳＩＣパターン）はＢＤ内に記憶できる特定の映像について認証を得ることにより再生するＢＤプレイヤ装置と、再生認証のための処理を行うサーバ装置と、２次元バーコードを読み込むカメラを有し前記サーバ装置と通信可能な装置Ａとからなる認証再生システムであって、前記ＢＤプレイヤ装置は、パスコードを生成する生成手段と、前記パスコードおよびＢＤのコンテンツＩＤ情報を送信する手段と、前記サーバ装置から取得した連動用セッションＩＤを前記装置Ａに取得させるため２次元バーコードを生成する２次元バーコード生成手段と、ＢＤプレイヤ装置の再生ボタンを押すことにより前記サーバ装置に連動用セッションＩＤ，パスコードおよびＢＤのコンテンツＩＤ情報を返送する手段と、前記サーバ装置から認証済の情報を受けたときＢＤ内に記憶できる特定の映像を再生する再生制御手段とを有し、前記サーバ装置は、前記ＢＤプレイヤ装置からパスコードおよびＢＤのコンテンツＩＤ情報を受信したとき連動用セッションＩＤを生成する連動用セッションＩＤ生成手段と、ユーザの登録操作によってユーザＩＤ・パスワードを記憶するユーザＩＤ・パスワード記憶手段と、前記連動用セッションＩＤとパスコードを記憶する連動用セッションＩＤ・パスコード対応表を有するセッション情報記憶手段と、前記生成した連動用セッションＩＤをＢＤプレイヤ装置に送信する手段と、前記装置Ａより連動用セッションＩＤ，パスコードを受けるとともに装置Ａを特定するユーザ情報を受けたとき、これら情報を記憶する連動用セッションＩＤ・ユーザ情報対応表を有する認証情報記憶手段と、記憶した連動用セッションＩＤ，パスコードおよびＢＤのコンテンツＩＤ情報をＢＤプレイヤ装置に送信し、戻ってくるこれら情報を前記連動用セッションＩＤユーザ情報対応表でチェックする認証制御手段と、前記認証制御手段でチェックし、一致すれば認証済の情報を前記ＢＤプレイヤ装置に返送する手段とを有し、前記装置Ａは、前記カメラにより前記ＢＤプレイヤ装置で表示される連動用セッションＩＤ，パスコードを含む２次元バーコードを読み込む手段と、前記２次元バーコードを解読し、連動用セッションＩＤ，パスコードおよび装置Ａを特定するユーザ情報を送信する手段と、サーバ装置から認証情報を受信する手段とを有し、ユーザの操作によりＢＤプレイヤ装置はサーバ装置にパスコード，コンテンツＩＤを送信し、これを受信したサーバ装置から送られる連動用セッションＩＤ，パスコードを前記ＢＤプレイヤ装置が受信してＢＤプレイヤ装置のディスプレイに該連動用セッションＩＤ，パスコードを含むＵＲＬを２次元バーコードで表示し、ユーザが装置Ａのカメラで該２次元バーコードを読み込み操作した場合、装置Ａが認識した連動用セッションＩＤ，パスコードおよび装置Ａを特定するユーザ情報をサーバ装置に送ると、前記サーバ装置が前記ユーザＩＤ・パスワード記憶手段で装置Ａを特定するユーザ情報を確認し、連動用セッションＩＤ・パスコード対応表で連動用セッションとパスコードをチェックし、連動用セッションＩＤ・ユーザ情報対応表で連動用セッションとユーザ情報をチェックすることにより、再生すべき特定の映像再生の認証を前記装置Ａを介して前記サーバ装置で行い、認証を必要とする特定の映像を再生することを特徴とする。
ここで送信する手段および返送する手段は、実施の形態ではＢＤプレイヤ装置またはサーバ装置が有する通信制御部に対応するものである。以下の請求項においても同様である。
本発明の請求項２（ＰＵＳＨパターン）はＢＤ内に記憶できる特定の映像について認証を得ることにより再生するＢＤプレイヤ装置と、再生認証のための処理を行うサーバ装置と、前記サーバ装置とメールのやり取りが可能で前記サーバ装置と通信可能な装置Ａとからなる認証再生システムであって、前記ＢＤプレイヤ装置は、パスコードを生成する生成手段と、パスコードおよびＢＤのコンテンツＩＤ情報を送信する手段と、前記サーバ装置から取得した連動用セッションＩＤを前記装置Ａに取得させるためＢＤプレイヤ装置の表示部に連動用セッションＩＤ，パスコードを含むメール文面を表示する表示手段と、ＢＤプレイヤ装置の再生ボタンを押すことにより前記サーバ装置に連動用セッションＩＤ，パスコードおよびＢＤのコンテンツＩＤ情報を返送する手段と、前記サーバ装置から認証済の情報を受けたときＢＤ内に記憶できる特定の映像を再生する再生制御手段とを有し、前記サーバ装置は、前記ＢＤプレイヤ装置からパスコードおよびＢＤのコンテンツＩＤ情報を受信したとき連動用セッションＩＤを生成する連動用セッションＩＤ生成手段と、ユーザの登録操作によりユーザＩＤ・パスワードを記憶するユーザＩＤ・パスワード記憶手段と、前記連動用セッションＩＤとパスコードを記憶する連動用セッションＩＤ・パスコード対応表を有するセッション情報記憶手段と、前記生成した連動用セッションＩＤを前記ＢＤプレイヤ装置に送信する手段と、前記装置Ａより連動用セッションＩＤ，パスコードを受けるとともに装置Ａを特定するユーザ情報を受けたとき、これら情報を記憶する連動用セッションＩＤ・ユーザ情報対応表を有する認証情報記憶手段と、記憶した連動用セッションＩＤ，パスコードおよびＢＤのコンテンツＩＤ情報をＢＤプレイヤ装置に送信し、戻ってくるこれら情報を前記連動用セッションＩＤ・ユーザ情報対応表でチェックする認証制御手段と、前記認証制御手段でチェックし、一致すれば認証済の情報を前記ＢＤプレイヤ装置に返送する手段とを有し、前記装置Ａは、前記ＢＤプレイヤ装置のディスプレイに表示された連動用セッションＩＤ，パスコードおよび装置Ａのユーザ情報を含むメールを前記サーバ装置に送信する手段と、サーバ装置から認証情報を受信する手段とを有し、ユーザの操作によりＢＤプレイヤ装置はサーバ装置にパスコード，コンテンツＩＤを送信し、これを受信したサーバ装置は連動用セッションＩＤ，パスコードを含む文面をＢＤプレイヤ装置に送り、ＢＤプレイヤ装置はディスプレイに表示し、ユーザが装置Ａに該連動用セッションＩＤ，パスコードを入力してメールで装置Ａを特定するユーザ情報とともにサーバ装置に送ると、前記サーバ装置が前記ユーザＩＤ・パスワード記憶手段で装置Ａを特定するユーザ情報を確認し、連動用セッションＩＤ・パスコード対応表で連動用セッションとパスコードをチェックし、連動用セッションＩＤ・ユーザ情報対応表で連動用セッションとユーザ情報をチェックすることにより、再生すべき特定の映像再生の認証を前記装置Ａを介して前記サーバ装置で行い、認証を必要とする特定の映像を再生することを特徴とする。
本発明の請求項３（ＰＵＬＬパターン）は装置ＡのメールアドレスをＢＤプレイヤ装置に登録してあり、ＢＤ内に記憶できる特定の映像について認証を得ることにより再生するＢＤプレイヤ装置と、再生認証のための処理を行うサーバ装置と、前記サーバ装置とメールのやり取りが可能で前記サーバ装置と通信可能な装置Ａとからなる認証再生システムであって、前記ＢＤプレイヤ装置は、パスコードを生成する生成手段と、パスコードおよびＢＤのコンテンツＩＤ情報を送信する手段と、ＢＤプレイヤ装置の再生ボタンを押すことにより前記サーバ装置に連動用セッションＩＤ，パスコードおよびＢＤのコンテンツＩＤ情報を返送する手段と、前記サーバ装置から認証済の情報を受けたときＢＤ内に記憶できる特定の映像を再生する再生制御手段とを有し、前記サーバ装置は、前記ＢＤプレイヤ装置からパスコードおよびＢＤのコンテンツＩＤ情報を受信したとき連動用セッションＩＤを生成する連動用セッションＩＤ生成手段と、ユーザの登録操作によりユーザＩＤ・パスワードを記憶するユーザＩＤ・パスワード記憶手段と、前記連動用セッションＩＤとパスコードを記憶する連動用セッションＩＤ・パスコード対応表を有するセッション情報記憶手段と、前記生成した連動用セッションＩＤ，パスコードを含むＵＲＬを前記ＢＤプレイヤ装置の登録アドレスにメールする手段と、前記装置Ａより連動用セッションＩＤ，パスコードを受けるとともに装置Ａを特定するユーザ情報を受けたとき、これら情報を記憶する連動用セッションＩＤ・ユーザ情報対応表を有する認証情報記憶手段と、記憶した連動用セッションＩＤ，パスコードおよびＢＤのコンテンツＩＤ情報をＢＤプレイヤ装置に送信し、戻ってくるこれら情報を前記連動用セッション・ＩＤユーザ情報対応表でチェックする認証制御手段と、前記認証制御手段でチェックし、一致すれば認証済の情報を前記ＢＤプレイヤ装置に返送する手段とを有し、前記装置Ａは、前記サーバ装置から送られてきたＵＲＬの内容を表示する手段と、前記ＵＲＬに含まれる連動用セッションＩＤ，パスコードおよび装置Ａのユーザ情報を前記サーバ装置に送信する手段とを有し、ユーザの操作によりＢＤプレイヤ装置はサーバ装置にパスコード，コンテンツＩＤを送信し、これを受信したサーバ装置は連動用セッションＩＤ，パスコードを含むＵＲＬをＢＤプレイヤ装置の登録アドレス宛にメールして連動用セッションＩＤをＢＤプレイヤ装置に返し、かつ装置Ａで受信した連動用セッションＩＤ，パスコードを含むＵＲＬをユーザが開く操作を行うことにより装置Ａのディスプレイに表示し、ユーザが装置Ａから連動用セッションＩＤ，パスコードと装置Ａを特定するユーザ情報をサーバ装置に送ると、前記サーバ装置が前記ユーザＩＤ・パスワード記憶手段で装置Ａを特定するユーザ情報を確認し、連動用セッションＩＤ・パスコード対応表で連動用セッションとパスコードをチェックし、連動用セッションＩＤ・ユーザ情報対応表で連動用セッションとユーザ情報をチェックすることにより、再生すべき特定の映像再生の認証を前記装置Ａを介して前記サーバ装置で行い、認証を必要とする特定の映像を再生することを特徴とする。
本発明の請求項４（ＶＩＲＴＵＡＬ  ０１パターン）はＢＤ内に記憶できる特定の映像について認証を得ることにより再生するＢＤプレイヤ装置と、再生認証のための処理を行うサーバ装置と、２次元バーコードを読み込むカメラを有し前記サーバ装置と通信可能な装置Ａとからなる認証再生システムであって、前記ＢＤプレイヤ装置は、パスコードを生成する手段と、前記パスコードおよびＢＤのコンテンツＩＤ情報を含むＵＲＬをＢＤプレイヤ装置のディスプレイに２次元バーコードとして表示する手段と、前記サーバ装置から視聴コードを前記装置Ａが受けて表示し、ユーザが視聴コードを入力して再生ボタンを押したとき、該視聴コードを検証する視聴コード検証手段と、視聴コードが正しければＢＤ内に記憶できる特定の映像を再生する再生制御手段とを有し、前記サーバ装置は、ユーザの登録操作によりユーザＩＤ・パスワードを記憶するユーザＩＤ・パスワード記憶手段と、前記装置ＡからパスコードおよびＢＤのコンテンツＩＤ情報を含むＵＲＬを受信するとともに装置Ａを特定するユーザ情報を受けたとき認証する認証制御手段と、認証成功であれば、視聴コードを生成する視聴コード生成手段と、前記視聴コードを前記装置Ａに返送する手段と、前記装置Ａは、前記ＢＤプレイヤ装置のディスプレイに表示されたパスコードおよびＢＤのコンテンツＩＤ情報を含むＵＲＬの２次元バーコードをユーザが撮影し、ユーザの操作により前記サーバ装置にパスコードおよびＢＤのコンテンツＩＤ情報を含むＵＲＬおよび装置Ａを特定するユーザ情報を送信する送信手段と、前記サーバ装置から送られる視聴コードを受信表示する手段とを有し、ユーザの操作によりＢＤプレイヤ装置はパスコードを生成し、パスコード，コンテンツＩＤ情報を含むＵＲＬをＢＤプレイヤ装置のディスプレイに２次元バーコードとして表示し、ユーザが装置Ａのカメラで該２次元バーコードを読み込み操作した場合、装置Ａはパスコード，コンテンツＩＤ情報および装置Ａを特定するユーザ情報をサーバ装置に送り、サーバ装置が前記ユーザＩＤ・パスワード記憶手段で装置Ａを特定するユーザ情報を確認しサーバ装置から視聴コードを装置Ａが受信することにより、再生すべき特定の映像再生の認証を前記装置Ａを介して前記サーバ装置で行い、認証を必要とする特定の映像を再生することを特徴とする。
本発明の請求項５（ＶＩＲＴＵＡＬ  ０２パターン）はＢＤ内に記憶できる特定の映像について認証を得ることにより再生するＢＤプレイヤ装置と、再生認証のための処理を行うサーバ装置と、前記サーバ装置とメールのやり取りが可能で前記サーバ装置と通信可能な装置Ａとからなる認証再生システムであって、前記ＢＤプレイヤ装置は、パスコードを生成する手段と、前記パスコードおよびＢＤのコンテンツＩＤ情報を含むＵＲＬをＢＤプレイヤ装置のディスプレイに表示する手段と、前記サーバ装置からメールで視聴コードを前記装置Ａが受けて表示し、ユーザが視聴コードを入力して再生ボタンを押したとき、該視聴コードを検証する視聴コード検証手段と、視聴コードが正しければＢＤ内に記憶できる特定の映像を再生する再生制御手段とを有し、前記サーバ装置は、ユーザの登録操作によってユーザＩＤ・パスワードを記憶するユーザＩＤ・パスワード記憶手段と、前記装置ＡからパスコードおよびＢＤのコンテンツＩＤ情報を含むメールを受信するとともに装置Ａを特定するユーザ情報を受けたとき認証する認証制御手段と、認証成功であれば、視聴コードを生成する視聴コード生成手段と、前記視聴コードをメールで前記装置Ａに返送する手段とを有し、前記装置Ａは、前記ＢＤプレイヤ装置のディスプレイに表示されたパスコードおよびＢＤのコンテンツＩＤ情報を含むメールを送信するとともに装置Ａを特定するユーザ情報をサーバ装置に送信する送信手段と、前記サーバ装置からメールで送られる視聴コードを受信表示する手段とを有し、ユーザの操作によりＢＤプレイヤ装置はパスコードを生成し、パスコード，コンテンツＩＤ情報を含むメール文面をＢＤプレイヤ装置のディスプレイに表示し、ユーザが装置Ａでディスプレイの表示に従いパスコード，コンテンツＩＤ情報および装置Ａを特定するユーザ情報をメールでサーバ装置に送ると、サーバ装置が前記ユーザＩＤパスワード記憶手段で装置Ａを特定するユーザ情報を確認しサーバ装置から視聴コードを装置Ａが受信することにより、再生すべき特定の映像再生の認証を前記装置Ａを介して前記サーバ装置で行い、認証を必要とする特定の映像を再生することを特徴とする。
本発明の請求項６は請求項１，２，３，４または５記載の発明において前記装置Ａは携帯電話機であることを特徴とする。
本発明の請求項７はＢＤ内に記憶できる映像の認証再生において、コンピュータに、映像の再生を行う再生制御機能と、パスコードを生成するパスコード生成機能と、２次元バーコードを生成する２次元バーコード生成機能と、視聴コードを検証する視聴コード検証機能と、通信を制御する通信制御機能とを実現させることを特徴とする。
本発明の請求項８はコンピュータに、映像の再生を行う再生制御機能と、パスコードを生成するパスコード生成機能と、２次元バーコードを生成する２次元バーコード生成機能と、視聴コードを検証する視聴コード検証機能と、通信を制御する通信制御機能とを実行させるための認証再生プログラムを記録したコンピュータ読み取り可能なものである。
本発明の請求項９は請求項８記載の発明においてＢＤまたはＨＤＤであることを特徴とする。
【発明の効果】
【０００７】
上記構成によればＢＤ内の認証が必要な特定の映像ストリームを再生する場合、携帯電話機などの装置を利用しサーバ装置での認証が簡単な操作でできるようになる。
【図面の簡単な説明】
【０００８】
【図１Ａ】本発明による認証再生システムの概要を説明するための図である。
【図１Ｂ】ＢＤ内のＢＤ−Ｊプログラムの構成例を説明するための図である。
【図２】ＢＤプレイヤ装置の回路の実施の形態を示す回路図である。
【図３】サーバ装置の回路の実施の形態を示す回路図である。
【図４】携帯電話機の回路の実施の形態を示す回路図である。
【図５】ＢＡＳＩＣパターンを構成する認証再生システムの概要を説明するための図である。
【図６Ａ】ＢＡＳＩＣパターンで認証する流れを説明するための図である。
【図６Ｂ】ＢＡＳＩＣパターンで認証する各装置の処理を説明するための図である。
【図７】ＰＵＳＨパターンを構成する認証再生システムの概要を説明するための図である。
【図８Ａ】ＰＵＳＨパターンで認証する流れを説明するための図である。
【図８Ｂ】ＰＵＳＨパターンで認証する各装置の処理を説明するための図である。
【図９】ＰＵＬＬパターンを構成する認証再生システムの概要を説明するための図である。
【図１０Ａ】ＰＵＬＬパターンで認証する流れを説明するための図である。
【図１０Ｂ】ＰＵＬＬパターンで認証する各装置の処理を説明するための図である。
【図１１】ＶＩＲＴＵＡＬ−０１パターンを構成する認証再生システムの概要を説明するための図である。
【図１２Ａ】ＶＩＲＴＵＡＬ−０１パターンで認証する流れを説明するための図である。
【図１２Ｂ】ＶＩＲＴＵＡＬ−０１パターンで認証する各装置の処理を説明するための図である。
【図１３】ＶＩＲＴＵＡＬ−０２パターンを構成する認証再生システムの概要を説明するための図である。
【図１４Ａ】ＶＩＲＴＵＡＬ−０２パターンで認証する流れを説明するための図である。
【図１４Ｂ】ＶＩＲＴＵＡＬ−０２パターンで認証する各装置の処理を説明するための図である。
【発明を実施するための形態】
【０００９】
以下、図１Ａ〜図１４Ｂを参照して本発明の実施の形態を詳しく説明する。
図１Ａは本発明による認証再生システムの概要を説明するための図である。
本発明による認証再生を行うためには認証して再生すべき映像を記録するＢＤ１５を再生するＢＤプレイヤ装置１０，このＢＤプレイヤ装置１０に接続され、再生される映像・音声ストリーム等を表示出力するディスプレイ装置２０，再生認証の処理を行うサーバ装置３０および該サーバ装置３０と通信する装置Ａとなる携帯電話機５０よりシステムが構成される。
【００１０】
図１ＢはＢＤ内のＢＤ−Ｊプログラムの構成例を説明するための図である。
ＢＤ内のＢＤ−ＪプログラムディレクトリにＢＤ−Ｊプログラムが格納されている。ＢＤ−Ｊプログラムの実行によりプレイリストがプレイディレクトリに配置される。図１Ｂではプレイリスト＃１，プレイリスト＃２，プレイリスト＃３が格納されている。プレイリストはストリームを指定する。ストリームディレクトリにはストリーム＃１，ストリーム＃２が格納されている。この例ではストリーム＃１はプレイリスト＃１とプレイリスト＃２によって組み込まれる映像スリームであり、ストリーム＃２はプレイリスト＃３によって組み込まれる映像ストリームである。映像ストリーム再生にあたって関連するデータ、例えばオーディオストリームなども含まれている。
【００１１】
有料コンテンツで会員登録しないと視聴できないコンテンツが例えば、ストリーム＃２であるとする。このストリーム＃２を視聴するためにサーバ装置で認証をとった後に再生できるものである。この例ではＢＤ内に記録されている、認証をとって再生可能とするコンテンツを対象としているが、上記ストリーム＃２の映像データなどはＢＤ内ではなく、ＨＤＤなどの他の記録媒体に保存されていても良い。
ＢＤ内に記憶する方式としてＤＲ記憶モード，圧縮して記憶するＡＶＣ記憶モードまたはＢＤ記憶モードで記憶した、再生に認証を必要とする映像ストリームが本発明の再生対象となる。
【００１２】
サーバ装置側でどのような認証処理を行うか本発明では５つの実施の形態を示している。表１にそのパターン例を示す。
【表１】
2010211848.tif 000003
そのときのユーザの認識は、ユーザＩＤ，パスワードなどや携帯電話固有の情報（電話番号，携帯電話契約者の課金情報など）を用いる。
また、利用制限をつけることもできる。
・何回まで視聴可能かという回数制限
サーバ装置側でユーザ情報を覚えているため、プレイヤに記憶させた情報が買い換え・修理で消失しても回数制限の把握に問題は生じない（サーバ装置側で再生回数を管理しているため、プレイヤに代わって回数を守ることができる）。
・何月何日まで視聴可能／登録から何日間視聴可能という期間制限
サーバ装置側で期間情報を管理しているため、プレイヤの設定変更・買い替え・修理などによってプレイヤの内部時計の値が変わっても、期限を守ることができる。
【００１３】
また、上記のような制限を設けて視聴回数を把握しているためマーケティング情報収集が可能である。視聴ログをとることによってユーザがどのような映像を何回視聴しているかなどサーバ装置側でコンテンツごとの再生回数を管理できるため、マーケティングなどに活用することができる。
【００１４】
図２はＢＤプレイヤ装置の回路の実施の形態を示す回路図である。
この実施の形態は本発明に直接関連する回路部分のみを記載したものである。
ＢＤプレイヤ装置１０は記憶部（ＲＯＭ）１１，ＣＰＵ１２，ＢＤ制御部１３，ＢＤドライブ１４，受信センサ１８，センサ制御部１９，操作部２１，入力制御部２２，ＲＡＭ２３，ＬＡＮ制御部２４，ＬＡＮ回線接続部２５，画像処理部２６および接続部２８を備えている。接続部２８にはモニタ２７が接続され、モニタ２７には２次元バーコードやプレイヤに対する必要な指示などが表示されたり、再生される映像などが表示される。また音声再生のスピーカを持っている。ＢＤドライブ１４にはＢＤ−Ｊコンテンツを持つＢＤ１５が装脱着される。
【００１５】
ＢＤ内にはＢＤ−Ｊコンテンツとして再生制御プログラム，パスコード生成プログラム，２次元バーコード生成プログラム，視聴コード検証プログラム，通信制御プログラム，映像データなどが記憶されている。記憶媒体としてＢＤプレイヤ装置にＨＤＤを設け、インターネットの特定の映像提供サイトからダウンロードしてＢＤ−ＪコンテンツをＨＤＤに保存することも可能であり、かかる場合にはＨＤＤに格納されたＢＤ−Ｊコンテンツが認証再生の対象となる。
【００１６】
記憶部（ＲＯＭ）１１にこのプレイヤ装置全体の制御を司るプレイヤ制御プログラムおよびデータが記憶されている。ＣＰＵ１２はプレイヤ制御部１２ａ，再生制御部１２ｂ，パスコード生成部１２ｃ，２次元バーコード生成部１２ｄ，視聴コード検証部１２ｅおよび通信制御部１２ｆの各機能を実現する。プレイヤ制御部１２ａは記憶部（ＲＯＭ）１１よりプレイヤ制御プログラムを読み込むことにより実現される。また、再生制御部１２ｂはＢＤ１５から再生制御プログラムを読み込むことにより実現され、映像の再生を制御する。同様にパスコード生成部１２ｃはＢＤ１５からパスコード生成プログラムを読み込むことにより実現され、サーバ装置に送るべきパスコードを生成する。さらに２次元バーコード生成部１２ｄは２次元バーコード生成プログラムを読み込むことにより実現され、携帯電話機に撮影させるべき２次元バーコードを生成する。また、視聴コード検証部１２ｅは視聴コード検証プログラムを読み込むことにより実現され、サーバ装置から送られる視聴コードを検証する。通信制御部１２ｆは通信制御プログラムを読み込むことにより実現され、サーバ装置との間でパスコードや連動用セッションＩＤ等の送受信を行う。
【００１７】
プレイヤ制御部１２ａはＢＤ制御部１３に指示を出しＢＤ１５装脱着時のドライブの駆動を行う。また、ＢＤ制御部１３を介して映像データや各プログラムの読み出しの制御を行う。
操作部２１は再生，ストップ，早送りなどのプレイヤ再生のための操作部で、操作信号は入力制御部２２を介してＣＰＵ１２に送られる。リモコン１７も操作部２１と同様な操作ボタンなどを備えており、ボタン操作信号は赤外線方式により受信センサ１８に送信される。センサ制御部１９は受信センサ１８が受信したボタン操作信号をＣＰＵ１２に送出する。リモコン１７や操作部２１から送られてくる操作信号はＣＰＵ１２でどのような操作の信号かを分析し、ＣＰＵ１２はその分析に沿った処理を行う。例えば、リモコン１７から再生の操作信号が入力されれば、ＢＤ制御部１３に指示を出しＢＤ１５内の映像の再生を行う。
【００１８】
ＲＡＭ２３はＣＰＵ１２が演算や処理するときに使用される作業エリアとして用いられまた、一時的なデータ保持エリアとして使用される。ＬＡＮ回線接続部２５はＬＡＮケーブルに接続され、ＡＤＳＬモデムなどを介してインターネット回線に接続される。
通信制御部１２ｆはＬＡＮ制御部２４に指示を出しデータの送受信を行う。
【００１９】
図３はサーバ装置の回路の実施の形態を示す回路図である。
この実施の形態も本発明に直接関連する部分のブロックを示したものである。
サーバ装置３０は記憶部（ＨＤＤ）３１，ＣＰＵ３２，記憶部（ＲＯＭ）３３，ＲＡＭ３４，ＬＡＮ制御部３５およびＬＡＮ回線接続部３６を備えている。
記憶部（ＲＯＭ）３３に連動用セッション生成プログラム，認証制御プログラム，視聴コード生成プログラム，通信制御プログラムが格納されており、ＣＰＵ３２がこれらプログラムを読み出すことによりそれぞれ連動用セッションＩＤ生成部３２ａ，認証制御部３２ｂ，視聴コード生成部３２ｃおよび通信制御部３３ｄを実現する。
連動用セッションＩＤ生成部３２ａはＢＤプレイヤ装置からパスコード，コンテンツＩＤ情報が送られてきたとき連動用セッションＩＤを生成する。通信制御部３３ｄによってこの連動用セッションＩＤを返送することによりＢＤプレイヤからのコンテンツＩＤ情報に対する接続確立のレイヤ層を形成する。
【００２０】
認証制御部３２ｂは連動用セッションＩＤ・パスコード対応表のチェックや連動用セッションＩＤ・ユーザ情報対応表のチェックを行うことにより認証処理を行う。
視聴コード生成部３２ｃはＢＤプレイヤ装置とサーバ装置との間にネットワーク接続がない場合（ＶＩＲＴＵＡＬ  ０１，０２）に視聴コードを生成する。サーバ装置が認証に成功した場合、認証結果をＢＤプレイヤ装置に送ることか出来ないため携帯電話機にメールによって視聴コードとして送るようにしたものである。通信制御部３３ｄはＢＤプレイヤ装置にネットワーク接続されていれば、データの送受信を行う。また、ＢＤプレイヤ装置にネットワーク接続されていなければ、携帯電話キャリヤのデータ交換網を介して携帯電話機とメールによって通信を行う。
【００２１】
セッション情報記憶部３１ａは連動セッションＩＤ・パスコード対応表を、認証情報記憶部３１ｂは連動セッションＩＤ・ユーザ情報対応表をそれぞれ格納する。
記憶部（ＨＤＤ）３１には会員登録（会員登録された会員のみに映像ストリームを再生する）されたユーザＩＤとパスワードの表がユーザＩＤ・パスワード記憶部３１ｃに記憶されている。サーバ装置３０への会員登録は、ユーザが携帯電話機５０などによってサーバ装置３０に行う。また各種プログラム，データなども格納される。
なお、ＣＰＵ３２で実現される連動用セッションＩＤ生成部，認証制御部，視聴コード生成部，通信制御部を実現するプログラムは記憶部３３（ＲＯＭ）に格納されているとしているが、これら機能を実現するプログラムを各種プログラム３１ｄとして記憶部（ＨＤＤ）３１に格納してもよい。
ＲＡＭ３４はＣＰＵ３２が演算や処理するときに使用される作業エリアとして用いられまた、一時的なデータ保持エリアとして使用される。ＬＡＮ回線接続部３６はＬＡＮケーブルに接続され、ＡＤＳＬモデムなどを介してインターネット回線に接続される。
通信制御部３３ｄはＬＡＮ制御部３５に指示を出しデータの送受信を行う。
【００２２】
図４は携帯電話機の回路の実施の形態を示す回路図である。
この実施の形態は本発明に直接関連する部分のブロックを示したもので、電話通話機能や様々な機能を実現する構成部分は省略してある。
携帯電話機５０は、記憶部（ＲＯＭ）５１，ＣＰＵ５２，カメラ５３，カメラ制御部５４，テンキーなどの操作部５５，入力制御部５６，ＲＡＭ５７，無線制御部５８，画像処理部５９，ディスプレイ６１およびアンテナ６２を備えている。
記憶部（ＲＯＭ）５１に通信制御プログラム５１ａ，２次元バーコード読み取りプログラム５１ｂ，認証情報制御プログラム５１ｃおよびデータ５１ｄを格納している。
ＣＰＵ５２が通信制御プログラム５１ａを読み込むことにより通信制御部５２ｃを、２次元バーコード読み取りプログラム５１ｂを読み込むことにより２次元バーコード読み取り部５２ｂが、認証情報制御プログラム５１ｃを読み込むことにより認証情報制御部５２ａの各機能が実現する。
【００２３】
認証情報制御部５２ａはサーバ装置から送られてくる認証用ページを受けて認証情報であるユーザ名，パスワードをユーザが入力した場合、これをサーバ装置に送信する制御を行う。
ＢＤプレイヤ装置のディスプレイに表示される２次元バーコードをユーザがカメラで撮影するが、かかる場合、撮影準備がなされたディスプレイ６１の２次元バーコードをユーザが見ながら操作部５５の撮影ボタンを押すと、ＣＰＵ５２はカメラ制御部５４に指示を送ってカメラ５３で２次元バーコードを取り込む。２次元バーコード読み取り部５２ｂは、取り込まれた２次元バーコードの画像からその内容を認識する。例えば、認識されるのは連動用セッションＩＤ，パスコード，サーバ装置のＵＲＬなどである。
通信制御部５２ｃはメールやデータの送信を行う場合、それら情報を無線制御部５８で搬送波を変調しアンテナ６２から無線基地局に向けて発射させる制御を行う。
【００２４】
ＲＡＭ５７はＣＰＵ５２が演算や処理するときに使用される作業エリアとして用いられまた、一時的なデータ保持エリアとして使用される。無線制御部５８は上述のように送信したり、受信したりするメールやデータの情報を変調したり、復調したりする高周波回路である。
２次元バーコード読み取り部５２ｂは携帯電話機にカメラが設置されていない場合は搭載されない。かかる場合ではＰＵＳＨパターン，ＰＵＬＬパターンおよびＶＩＲＴＵＡＬ  ０２パターンで実行する認証再生システムとなる。
【００２５】
図５はＢＡＳＩＣパターンを構成する認証再生システムの概要を説明するための図である。
ＢＤプレイヤ装置１０Ａはインターネット１を介してサーバ装置３０Ａと通信を行うことができる。また、携帯電話機５０Ａはカメラを搭載しており、ディスプレイ装置２０Ａに表示される２次元バーコードを撮影し、２次元バーコードの内容を解読することができる。携帯電話機５０Ａとサーバ装置３０Ａの間はインターネット２を介して通信することができる。
【００２６】
図６ＡはＢＡＳＩＣパターンで認証する流れを説明するための図、図６ＢはＢＡＳＩＣパターンで認証する各装置の処理を説明するための図である。図６Ａ，図６Ｂを参照して処理の流れを説明する。
ユーザがＢＤプレイヤ装置の操作部２１（リモコン１７でも良い）を操作し、ＢＤドライブ１４に装着されたＢＤに対し、ＢＤ−Ｊコンテンツの再生に認証が必要な特定の映像ストリームを再生指示する開始指示のボタンを押す。プレイヤ制御部１２ａはその操作情報を受けてパスコード（ＢＤプレイヤ特定用）生成のためにパスコード生成部１２ｃに制御を渡す。パスコード生成部１２ｃはパスコードを生成して通信制御部１２ｆに制御を渡す。また、プレイヤ制御部１２ａは映像データなどのコンテンツＩＤを読み出し、通信制御部１２ｆに制御を渡す。
【００２７】
通信制御部１２ｆはＬＡＮ制御部２４，ＬＡＮ回線接続部２５を介してパスコードおよびコンテンツＩＤをサーバ装置３０に送信する。
サーバ装置３０においてＣＰＵ３２ではＬＡＮ回線接続部３６，ＬＡＮ制御部３５を介して通信制御部３３ｄがパスコードおよびコンテンツＩＤを受信して連動用セッションＩＤ生成部３２ａに制御を渡す。連動用セッションＩＤ生成部３２ａは連動用セッションＩＤ（ＢＤプレイヤ装置との接続確立のためのＩＤ）を生成する。そして、セッション情報記憶部３１ａに生成した連動用セッションＩＤ，パスコードをセッション情報記憶部３１ａの連動用セッションＩＤ・パスコード対応表に記憶する。連動用セッションＩＤは通信制御部３３ｄに渡され、通信制御部３３ｄは連動用セッションＩＤをＢＤプレイヤ装置１０に送信する。ＢＤプレイヤ装置１０の通信制御部１２ｆは連動用セッションＩＤ，パスコードを受信すると、プレイヤ制御部１２ａに制御を渡す。プレイヤ制御部１２ａは受信した連動用セッションＩＤ，パスコードを２次元バーコード生成部１２ｄに渡し、連動用セッションＩＤ，パスコードを含む２次元バーコードを生成させる。
【００２８】
プレイヤ制御部１２ａは連動セッションＩＤ，パスコードを含むＵＲＬをディスプレイ装置（モニタ）２７に２次元バーコードとして表示する。ユーザがモニタ２７に表示される２次元バーコードを携帯電話機５０のカメラ５３で撮影すると、携帯電話機５０の２次元バーコード読み取り部５２ｂが読み取り、２次元バーコードの内容を認識する。ユーザは携帯電話機５０のディスプレイ６１に表示されるサーバ装置３０のＵＲＬを見てこれを携帯電話機５０の操作部５５で選択するとＷＥＢブラウザが起動する。これによりＷＥＢブラウザで、連動用セッションＩＤ，パスコードが送信される。通信制御部５２ｃが連動用セッションＩＤ，パスコードを送信する。サーバ装置３０のＣＰＵ３２は通信制御部３３ｄで連動用セッションＩＤ，パスコードを受信すると、認証制御部３２ｂに制御を渡す。認証制御部３２ｂは認証用ページを通信制御部３３ｄによって携帯電話機５０に返送する。携帯電話機５０のディスプレイ６１に受信した認証用ページが表示されるため、ユーザは携帯電話機（ユーザ登録番号でも良い）を特定するため認証に関する情報、すなわちユーザ名，パスワードのユーザ情報を入力し、送信操作を行う。
サーバ装置３０の認証制御部３２ｂは送られてきたユーザ名，パスワードを、ユーザＩＤ・パスワード記憶部３１ｃのユーザ名，パスワードの表でチェックすることにより、登録されたユーザであることを確認する。そしてセッション情報記憶部３１ａの連動用セッションＩＤ・パスコード対応表から連動用セッションＩＤ・パスコードを読み出し、送られてきた連動用セッションＩＤ，パスコードとのチェックを行い、認証結果を通信制御部３３ｄによって携帯電話機５０に返す。サーバ装置３０のＣＰＵ３２はこの返送とともに認証情報記憶部３１ｂの連動用セッションＩＤ・ユーザ情報（ユーザ名，パスワード）対応表に連動用セッションＩＤ，ユーザ情報を記憶する。
【００２９】
携帯電話機５０では認証情報を受けると、ユーザはＢＤプレイヤ装置１０の操作部２１の再生ボタンを押すこととなる。ＢＤプレイヤ装置１０のプレイヤ制御部１２ａは通信制御部１２ｆによってサーバ装置３０に連動用セッションＩＤ，パスコード，コンテンツＩＤを送信する。サーバ装置３０のＣＰＵ３２は通信制御部３３ｄで受信した連動用セッションＩＤ，パスコード，コンテンツＩＤを認証制御部３２ｂに送って認証制御部３２ｂに制御を渡す。認証制御部３２ｂは連動用セッションＩＤ・ユーザ情報（ユーザ名，パスワード）対応表から連動用セッションＩＤ，ユーザ情報を読み出し、送られてきた連動用セッションＩＤなどとのチェックを行い、通信制御部３３ｄで認証済であるかどうかを示すステータスを返送する。ＢＤプレイヤ装置１０の再生制御部１２ｂは認証済であるステータスを受信すると、ＢＤ内の認証を必要とする映像ストリームの再生を開始する。
【００３０】
図７はＰＵＳＨパターンを構成する認証再生システムの概要を説明するための図である。
ＢＤプレイヤ装置１０Ｂはインターネット１を介してサーバ装置３０Ｂと通信を行うことができる。また、携帯電話機５０Ｂはカメラを搭載せず、ディスプレイ装置２０Ｂに表示されるメール文面をユーザが見て、これを携帯電話機５０Ｂに入力するものである。携帯電話機５０Ｂとサーバ装置３０Ｂの間はインターネット２を介して通信することができる。
【００３１】
図８ＡはＰＵＳＨパターンで認証する流れを説明するための図、図８ＢはＰＵＳＨパターンで認証する各装置の処理を説明するための図である。
ユーザがＢＤプレイヤ装置の操作部２１（リモコン１７でも良い）を操作し、ＢＤドライブ１４に装着されたＢＤに対し、ＢＤ−Ｊコンテンツの再生に認証が必要な特定の映像ストリームを再生指示する開始指示のボタンを押す。プレイヤ制御部１２ａはその操作情報を受けてパスコード（ＢＤプレイヤ装置特定用）生成のためにパスコード生成部１２ｃに制御を渡す。パスコード生成部１２ｃはパスコードを生成して通信制御部１２ｆに制御を渡す。また、プレイヤ制御部１２ａは映像データなどのコンテンツＩＤを読み出し、通信制御部１２ｆに制御を渡す。
【００３２】
通信制御部１２ｆはＬＡＮ制御部２４，ＬＡＮ回線接続部２５を介してパスコードおよびコンテンツＩＤをサーバ装置３０に送信する。
サーバ装置３０においてＣＰＵ３２ではＬＡＮ回線接続部３６，ＬＡＮ制御部３５を介して通信制御部３３ｄがパスコードおよびコンテンツＩＤを受信して連動用セッションＩＤ生成部３２ａに制御を渡す。連動用セッションＩＤ生成部３２ａは連動用セッションＩＤ（ＢＤプレイヤ装置との接続確立のためのＩＤ）を生成する。そして、セッション情報記憶部３１ａに生成した連動用セッションＩＤ，パスコードをセッション情報記憶部３１ａの連動用セッションＩＤ・パスコード対応表に記憶する。連動用セッションＩＤは通信制御部３３ｄに渡され、通信制御部３３ｄは連動用セッションＩＤ，パスコード，サーバ装置３０のＵＲＬを含むメール文面をＢＤプレイヤ装置１０に送信する。ＢＤプレイヤ装置１０の通信制御部１２ｆは連動用セッションＩＤ，パスコード，サーバ装置３０のＵＲＬを含むメール文面を受信すると、プレイヤ制御部１２ａに制御を渡す。プレイヤ制御部１２ａはモニタ２７にメール文面を表示する。
【００３３】
ユーザはモニタ２７に表示されたサーバ装置３０のＵＲＬを携帯電話機５０に操作部５５を操作して入力すると、携帯電話機５０のＷＥＢブラウザが起動する。ユーザはＷＥＢブラウザにモニタ２７に表示された連動用セッションＩＤ，パスコードを入力しメール送信すると、そのメールはサーバ装置３０に送信される。
サーバ装置３０のＣＰＵ３２は通信制御部３３ｄで連動用セッションＩＤ，パスコードを含むメールを受信すると、認証制御部３２ｂに制御を渡す。認証制御部３２ｂは認証用ページを通信制御部３３ｄによって携帯電話機５０に返送する。携帯電話機５０のディスプレイ６１に受信した認証用ページが表示されるため、ユーザは携帯電話機（ユーザ登録番号でも良い）を特定するため認証に関する情報、すなわちユーザ名，パスワードのユーザ情報を入力し、送信操作を行う。
サーバ装置３０の認証制御部３２ｂは送られてきたユーザ名，パスワードを、ユーザＩＤ・パスワード記憶部３１ｃのユーザ名，パスワードの表でチェックすることにより、登録されたユーザであることを確認する。そしてセッション情報記憶部３１ａの連動用セッションＩＤ・パスコード対応表から連動用セッションＩＤ・パスコードを読み出し、送られてきた連動用セッションＩＤ，パスコードとのチェックを行い、認証結果をメールで通信制御部３３ｄによって携帯電話機５０に返す。サーバ装置３０のＣＰＵ３２はこの返送とともに認証情報記憶部３１ｂの連動用セッションＩＤ・ユーザ情報（ユーザ名，パスワード）対応表に連動用セッションＩＤ，ユーザ情報を記憶する。
【００３４】
携帯電話機５０では認証情報を受けると、ユーザはＢＤプレイヤ装置１０の操作部２１の再生ボタンを押すこととなる。ＢＤプレイヤ装置１０のプレイヤ制御部１２ａは通信制御部１２ｆによってサーバ装置３０に連動用セッションＩＤ，パスコード，コンテンツＩＤを送信する。サーバ装置３０のＣＰＵ３２は通信制御部３３ｄで受信した連動用セッションＩＤ，パスコード，コンテンツＩＤを認証制御部３２ｂに送って認証制御部３２ｂに制御を渡す。認証制御部３２ｂは連動用セッションＩＤ・ユーザ情報（ユーザ名，パスワード）対応表から連動用セッションＩＤ，ユーザ情報を読み出し、送られてきた連動用セッションＩＤなどのチェックを行い、通信制御部３３ｄで認証済であるかどうかを示すステータスを返送する。ＢＤプレイヤ装置１０の再生制御部１２ｂは認証済であるステータスを受信すると、ＢＤ内の認証を必要とする映像ストリームの再生を開始する。
【００３５】
図９はＰＵＬＬパターンを構成する認証再生システムの概要を説明するための図である。
ＢＤプレイヤ装置１０ｃはインターネット１を介してサーバ装置３０ｃと通信を行うことができる。また、携帯電話機５０ｃはカメラを搭載せず、ディスプレイ装置２７に表示されるメール文面，携帯電話機に表示されるメール文面をユーザが見て、携帯電話機５０ｃを操作するものである。携帯電話機５０ｃとサーバ装置３０ｃの間はインターネット２を介して通信することができる。
【００３６】
図１０ＡはＰＵＬＬパターンで認証する流れを説明するための図で、図１０ＢはＰＵＬＬパターンで認証する各装置の処理を説明するための図である。
これはＢＤプレイヤ装置１０とサーバ装置３０の間はネットワーク接続され、携帯電話機にはカメラが搭載されておらず２次元バーコード読み取り機能がないシステム構成であるが、携帯電話機のメールアドレスを予めＢＤプレイヤ装置に登録してある場合である。  ユーザがＢＤプレイヤ装置１０の操作部２１（リモコン１７でも良い）を操作し、ＢＤドライブ１４に装着されたＢＤに対し、ＢＤ−Ｊコンテンツの再生に認証が必要な特定の映像ストリームを再生指示する開始指示のボタンを押す。プレイヤ制御部１２ａはその操作情報を受けてパスコード（ＢＤプレイヤ特定用）生成のためにパスコード生成部１２ｃに制御を渡す。パスコード生成部１２ｃはパスコードを生成して通信制御部１２ｆに制御を渡す。また、プレイヤ制御部１２ａは映像データなどのコンテンツＩＤを読み出し、通信制御部１２ｆに制御を渡す。
【００３７】
通信制御部１２ｆはＬＡＮ制御部２４，ＬＡＮ回線接続部２５を介してパスコードおよびコンテンツＩＤ，登録された携帯電話機のメールアドレスをサーバ装置３０に送信する。
サーバ装置３０においてＣＰＵ３２ではＬＡＮ回線接続部３６，ＬＡＮ制御部３５を介して通信制御部３３ｄがパスコードおよびコンテンツＩＤを受信して連動用セッションＩＤ生成部３２ａに制御を渡す。連動用セッションＩＤ生成部３２ａは連動用セッションＩＤ（ＢＤプレイヤ装置との接続確立のためのＩＤ）を生成する。そして、セッション情報記憶部３１ａに生成した連動用セッションＩＤ，パスコードをセッション情報記憶部３１ａの連動用セッションＩＤ・パスコード対応表に記憶する。連動用セッションＩＤは通信制御部３３ｄに渡され、通信制御部３３ｄは連動用セッションＩＤ，パスコード，サーバ装置３０のＵＲＬを含むメールを登録アドレス宛にメールしＢＤプレイヤ装置１０に連動用セッションＩＤを送信する。ＢＤプレイヤ装置１０の通信制御部１２ｆは連動用セッションＩＤ，パスコード，サーバ装置３０のＵＲＬを含むメール文面を受信すると、プレイヤ制御部１２ａに制御を渡す。プレイヤ制御部１２ａはモニタ２７にメール文面を表示する。
【００３８】
また、同様なメールが携帯電話機５０にも送信される。ユーザは携帯電話機５０のディスプレイ６１に表示されたメール本文内のサーバ装置３０のＵＲＬを操作部５５によって選択すると、携帯電話機５０にＷＥＢブラウザが起動する。これによりパスコード，連動用セッションＩＤは携帯電話機５０に自動で入力され、サーバ装置３０に送信される。
サーバ装置３０のＣＰＵ３２は通信制御部３３ｄで連動用セッションＩＤ，パスコードを受信すると、認証制御部３２ｂに制御を渡す。認証制御部３２ｂは認証用ページを通信制御部３３ｄによって携帯電話機５０に返送する。携帯電話機５０のディスプレイ６１に受信した認証用ページが表示されるため、ユーザは携帯電話機（ユーザ登録番号でも良い）を特定するため認証に関する情報、すなわちユーザ名，パスワードのユーザ情報を入力し、送信操作を行う。
サーバ装置３０の認証制御部３２ｂは送られてきたユーザ名，パスワードを、ユーザＩＤ・パスワード記憶部３１ｃのユーザ名，パスワードの表でチェックすることにより、登録されたユーザであることを確認する。そしてセッション情報記憶部３１ａの連動用セッションＩＤ・パスコード対応表から連動用セッションＩＤ・パスコードを読み出し、送られてきた連動用セッションＩＤ，パスコードとのチェックを行い、認証結果を通信制御部３３ｄによって携帯電話機５０に返す。サーバ装置３０のＣＰＵ３２はこの返送とともに認証情報記憶部３１ｂの連動用セッションＩＤ・ユーザ情報（ユーザ名，パスワード）対応表に連動用セッションＩＤ，ユーザ情報を記憶する。
【００３９】
携帯電話機５０では認証情報を受けると、ユーザはＢＤプレイヤ装置１０の操作部２１の再生ボタンを押すこととなる。ＢＤプレイヤ装置１０のプレイヤ制御部１２ａは通信制御部１２ｆによってサーバ装置３０に連動用セッションＩＤ，パスコード，コンテンツＩＤを送信する。サーバ装置３０のＣＰＵ３２は通信制御部３３ｄで受信した連動用セッションＩＤ，パスコード，コンテンツＩＤを認証制御部３２ｂに送って認証制御部３２ｂに制御を渡す。認証制御部３２ｂは連動用セッションＩＤ・ユーザ情報（ユーザ名，パスワード）対応表から連動用セッションＩＤ，ユーザ情報を読み出し、送られてきた連動用セッションＩＤなどとのチェックを行い、通信制御部３３ｄで認証済であるかどうかを示すステータスを返送する。ＢＤプレイヤ装置１０の再生制御部１２ｂは認証済であるステータスを受信すると、ＢＤ内の認証を必要とする映像ストリームの再生を開始する。
【００４０】
図１１はＶＩＲＴＵＡＬ−０１パターンを構成する認証再生システムの概要を説明するための図である。
ＢＤプレイヤ装置１０Ｄとサーバ装置３０Ｄとはインターネットと接続されておらず、通信はできない。また、携帯電話機５０Ｄはカメラを搭載しており、ディスプレイ装置２０Ｄに表示される２次元バーコードを撮影し、２次元バーコードの内容を解読することができる。携帯電話機５０Ｄとサーバ装置３０Ｄの間はインターネット２を介して通信することができる。
【００４１】
図１２ＡはＶＩＲＴＵＡＬ−０１パターンで認証する流れを説明するための図、図１２ＢはＶＩＲＴＵＡＬ−０１パターンで認証する各装置の処理を説明するための図である。  ユーザがＢＤプレイヤ装置１０の操作部２１（リモコン１７でも良い）を操作し、ＢＤドライブ１４に装着されたＢＤに対し、ＢＤ−Ｊコンテンツの再生に認証が必要な特定の映像ストリームを再生指示する開始指示のボタンを押す。プレイヤ制御部１２ａはその操作情報を受けてパスコード（ＢＤプレイヤ特定用）生成のためにパスコード生成部１２ｃに制御を渡す。パスコード生成部１２ｃはパスコードを生成する。また、プレイヤ制御部１２ａは映像データなどのコンテンツＩＤを読み出す。２次元バーコード生成部１２ｄはパスコード，コンテンツＩＤを含むサーバ装置３０のＵＲＬを２次元バーコードに生成する。そしてプレイヤ制御部１２ａはこれら２次元バーコードをモニタ２７に表示する。
【００４２】
ユーザはモニタ２７に表示される２次元バーコードを携帯電話機５０のカメラ５３で撮影すると、携帯電話機５０の２次元バーコード読み取り部５２ｂが読み取り、２次元バーコードの内容を認識する。ユーザは携帯電話機５０のディスプレイ６１に表示されるサーバ装置３０のＵＲＬを見てこれを携帯電話機５０の操作部５５で選択するとＷＥＢブラウザが起動する。これによりＷＥＢブラウザで、連動用セッションＩＤ，パスコードが送信される。送信では通信制御部５２ｃが連動用セッションＩＤ，パスコードを送信する。サーバ装置３０のＣＰＵ３２は通信制御部３３ｄで連動用セッションＩＤ，パスコードを受信すると、認証制御部３２ｂに制御を渡す。
認証制御部３２ｂは認証用ページを通信制御部３３ｄによって携帯電話機５０に返送する。携帯電話機５０のディスプレイ６１に受信した認証用ページが表示されるため、ユーザは携帯電話機（ユーザ登録番号でも良い）を特定するため認証に関する情報、すなわちユーザ名，パスワードのユーザ情報を入力し、送信操作を行う。
サーバ装置３０の認証制御部３２ｂは送られてきたユーザ名，パスワードを、ユーザＩＤ・パスワード記憶部３１ｃのユーザ名，パスワードの表でチェックすることにより、登録されたユーザであることを確認する。サーバ装置３０ではこのように登録されたユーザであることを確認し、パスコード，コンテンツＩＤを受けると、制御が視聴コード生成部３２ｃに渡される。
【００４３】
視聴コード生成部３２ｃはパスコード，コンテンツＩＤによって視聴コードを生成し、通信制御部３３ｄによって視聴コードを携帯電話機５０に送信する。
携帯電話機５０では視聴コードを受けると、ユーザはＢＤプレイヤ装置１０の操作部２１の再生ボタンを押すこととなる。ＢＤプレイヤ装置１０の視聴コード検証部１２ｅは送られた視聴コードを検証し、視聴コードが正しければＢＤプレイヤ装置１０の再生制御部１２ｂはＢＤ内の認証を必要とする映像ストリームの再生を開始する。
【００４４】
図１３はＶＩＲＴＵＡＬ−０２パターンを構成する認証再生システムの概要を説明するための図である。
ＢＤプレイヤ装置１０Ｅとサーバ装置３０Ｅとはインターネットと接続されておらず、通信はできない。また、携帯電話機５０Ｅはカメラを搭載しておらず、２次元バーコードを撮影することができない。携帯電話機５０Ｅとサーバ装置３０Ｅの間はインターネット２を介して通信することができる。
【００４５】
図１４ＡはＶＩＲＴＵＡＬ−０２パターンで認証する流れを説明するための図、図１４ＢはＶＩＲＴＵＡＬ−０２パターンで認証する各装置の処理を説明するための図である。  ユーザがＢＤプレイヤ装置１０の操作部２１（リモコン１７でも良い）を操作し、ＢＤドライブ１４に装着されたＢＤに対し、ＢＤ−Ｊコンテンツの再生に認証が必要な特定の映像ストリームを再生指示する開始指示のボタンを押す。プレイヤ制御部１２ａはその操作情報を受けてパスコード（ＢＤプレイヤ特定用）生成のためにパスコード生成部１２ｃに制御を渡す。パスコード生成部１２ｃはパスコードを生成する。また、プレイヤ制御部１２ａは映像データなどのコンテンツＩＤを読み出す。プレイヤ制御部１２ａはパスコード，コンテンツＩＤを含むメール文面をモニタ２７に表示する。
【００４６】
ユーザはモニタ２７にパスコード，コンテンツＩＤが表示されると、携帯電話機５０のメールソフトを起動し、モニタ２７に表示された指示通りのパスコード，コンテンツＩＤ，携帯電話機（ユーザ登録番号でも良い）を特定するため認証に関する情報、すなわちユーザ名，パスワードのユーザ情報を入力し、この文面のメールを作成し、サーバ装置３０に送信する。サーバ装置３０のＣＰＵ３２は通信制御部３３ｄで連動用セッションＩＤ，パスコード，ユーザ名，パスワードを受信すると、認証制御部３２ｂに制御を渡す。
サーバ装置３０の認証制御部３２ｂは送られてきたユーザ名，パスワードを、ユーザＩＤ・パスワード記憶部３１ｃのユーザ名，パスワードの表でチェックすることにより、登録されたユーザであることを確認し、連動用セッションＩＤ，パスコードが視聴コード生成部３２ｃに渡される。
【００４７】
視聴コード生成部３２ｃはパスコード，コンテンツＩＤによって視聴コードを生成し、通信制御部３３ｄによって視聴コードを携帯電話機５０に送信する。
携帯電話機５０では視聴コードを受けると、ユーザはＢＤプレイヤ装置１０の操作部２１の再生ボタンを押すこととなる。ＢＤプレイヤ装置１０の視聴コード検証部１２ｅは送られた視聴コードを検証し、視聴コードが正しければＢＤプレイヤ装置１０の再生制御部１２ｂはＢＤ内の認証を必要とする映像ストリームの再生を開始する。
【００４８】
以上の実施の形態は、装置Ａとして携帯電話機を用いる場合を説明したが、サーバ装置にＷＥＢブラウザでアクセスしたり、メールを送受信できる機能を持つ装置であれば、携帯電話機に限定されない。例えば、ＰＨＳや通信機能を持つ携帯ゲーム機なども使用することができる。
また、この実施の形態は、ＢＤ内に記憶されている認証を必要とする映像ストリームを再生する場合の例について説明したが、再生に認証を必要とする映像ストリーム、例えばＨＤＤ，ＳＳＤなどに保存されていても良い。
【産業上の利用可能性】
【００４９】
ＢＤ内に記憶した、再生に認証を必要とする映像ストリームを装置Ａを用いサーバ装置で認証する認証再生システムである。
【符号の説明】
【００５０】
１０  ＢＤプレイヤ装置
１１，３３，５１  記憶部（ＲＯＭ）
１２，３２，５２  ＣＰＵ
１３  ＢＤ制御部
１４  ＢＤドライブ
１５  ＢＤ
１７  リモコン
１８  受信センサ
１９  センサ制御部
２０，２７，６１  ディスプレイ装置（モニタ）
２１，５５  操作部
２２，５６  入力制御部
２３，３４，５７  ＲＡＭ
２４，３５  ＬＡＮ制御部
２５，３６  ＬＡＮ回線接続部
２６，５９  画像処理部
３０  サーバ装置  
３１  記憶部（ハードディスク）
５０  携帯電話機  
５３  カメラ
５４  カメラ制御部
５８  無線制御部  
【図１Ａ】
2010211848.tif 000004
【図１Ｂ】
2010211848.tif 000005
【図２】
2010211848.tif 000006
【図３】
2010211848.tif 000007
【図４】
2010211848.tif 000008
【図５】
2010211848.tif 000009
【図６Ａ】
2010211848.tif 000010
【図６Ｂ】
2010211848.tif 000011
【図７】
2010211848.tif 000012
【図８Ａ】
2010211848.tif 000013
【図８Ｂ】
2010211848.tif 000014
【図９】
2010211848.tif 000015
【図１０Ａ】
2010211848.tif 000016
【図１０Ｂ】
2010211848.tif 000017
【図１１】
2010211848.tif 000018
【図１２Ａ】
2010211848.tif 000019
【図１２Ｂ】
2010211848.tif 000020
【図１３】
2010211848.tif 000021
【図１４Ａ】
2010211848.tif 000022
【図１４Ｂ】
2010211848.tif 000023